【手続補正書】
【提出日】平成18年7月12日(2006.7.12)
【手続補正１】
【補正対象書類名】明細書
【補正対象項目名】特許請求の範囲
【補正方法】変更
【補正の内容】
【特許請求の範囲】
【請求項１】
入力信号を符号化する符号化装置であって、
時間軸上の入力信号を、低域周波数スペクトルを含む周波数スペクトルに変換する時間周波数変換手段と、
前記低域周波数スペクトルよりも高い周波数における高域周波数スペクトルを特定するために使用される拡張情報を生成する帯域拡張手段と、
前記低域周波数スペクトルと前記拡張情報とを符号化して、前記符号化済みの低域周波数スペクトルと拡張情報とを出力する符号化手段とを備え、
前記帯域拡張手段は、前記低域周波数スペクトルを構成する複数の部分スペクトルの中から前記高域周波数スペクトルとして複製する部分スペクトルを決定するために使用される第１パラメータと、複製後における部分スペクトルのゲインを決定するために使用される第２パラメータとを、前記拡張情報として生成し、
前記帯域拡張手段は、前記低域周波数スペクトルを構成する複数の部分スペクトルのうち、前記拡張情報を生成するために使われる部分スペクトルから最も低い周波数成分を含む部分スペクトルの周波数位置を決定するために使用される第３パラメータを生成する
ことを特徴とする符号化装置。
【請求項２】
前記時間周波数変換手段は、時間軸上の入力信号を、低域周波数スペクトルを含む周波数スペクトルにMDCT（変形離散コサイン変換）する
ことを特徴とする請求項１記載の符号化装置。
【請求項３】
前記帯域拡張手段は、前記第１、第２および第３パラメータによって特定される前記高域周波数スペクトルに加算するノイズスペクトルのエネルギーを特定するパラメータを、前記拡張情報として、さらに生成する
ことを特徴とする請求項１または２記載の符号化装置。
【請求項４】
前記ノイズスペクトルのエネルギーを特定するパラメータは、前記高域周波数スペクトルに対する前記ノイズスペクトルのエネルギー比である
ことを特徴とする請求項３記載の符号化装置。
【請求項５】
前記第１パラメータには、先行フレームの拡張情報と同じ拡張情報を使用するか否かの情報を含む
ことを特徴とする請求項１〜４のいずれか１項に記載の符号化装置。
【請求項６】
前記第１パラメータには、直前フレームの拡張情報と同じ拡張情報を使用するか否かの情報を含む
ことを特徴とする請求項５記載の符号化装置。
【請求項７】
入力信号を符号化する符号化方法であって、
時間軸上の入力信号を、低域周波数スペクトルを含む周波数スペクトルに変換する時間周波数変換ステップと、
前記低域周波数スペクトルよりも高い周波数における高域周波数スペクトルを特定するために使用される拡張情報を生成する帯域拡張ステップと、
前記低域周波数スペクトルと前記拡張情報とを符号化して、前記符号化済みの低域周波数スペクトルと拡張情報とを出力する符号化ステップとを備え、
前記帯域拡張ステップは、前記低域周波数スペクトルを構成する複数の部分スペクトルの中から前記高域周波数スペクトルとして複製する部分スペクトルを決定するために使用される第１パラメータと、複製後における部分スペクトルのゲインを決定するために使用される第２パラメータとを、前記拡張情報として生成し、
前記帯域拡張ステップは、前記低域周波数スペクトルを構成する複数の部分スペクトルのうち、前記拡張情報を生成するために使われる部分スペクトルから最も低い周波数成分を含む部分スペクトルの周波数位置を決定するために使用される第３パラメータを生成する
ことを特徴とする符号化方法。
【請求項８】
前記時間周波数変換ステップは、時間軸上の入力信号を、低域周波数スペクトルを含む周波数スペクトルにMDCT（変形離散コサイン変換）する
ことを特徴とする請求項７記載の符号化方法。
【請求項９】
前記帯域拡張ステップは、前記第１、第２および第３パラメータによって特定される前記高域周波数スペクトルに加算するノイズスペクトルのエネルギーを特定するパラメータを、前記拡張情報として、さらに生成する
ことを特徴とする請求項７または請求項８記載の符号化方法。
【請求項１０】
前記ノイズスペクトルのエネルギーを特定するパラメータは、前記高域周波数スペクトルに対する前記ノイズスペクトルのエネルギー比である
ことを特徴とする請求項９記載の符号化方法。
【請求項１１】
前記第１パラメータには、先行フレームの拡張情報と同じ拡張情報を使用するか否かの情報を含む
ことを特徴とする請求項７〜１０のいずれか１項に記載の符号化方法。
【請求項１２】
前記第１パラメータには、直前フレームの拡張情報と同じ拡張情報を使用するか否かの情報を含む
ことを特徴とする請求項１１記載の符号化方法。
【請求項１３】
入力信号を符号化するためのプログラムであって、
コンピュータに請求項７〜１２のいずれか１項に記載の符号化方法を実行させるプログラム。
【請求項１４】
請求項１３記載の符号化用プログラムを記録するコンピュータ読み取り可能な記録媒体。
【請求項１５】
符号化信号を復号化する復号化装置であって、
前記符号化信号を復号化することによって低域周波数スペクトルと、前記低域周波数スペクトルよりも高い周波数における高域周波数スペクトルを特定するために使用される拡張情報であって、前記低域周波数スペクトルを構成する複数の部分スペクトルの中から前記高域周波数スペクトルとして複製する部分スペクトルを決定するために使用される第１パラメータと、複製後における部分スペクトルのゲインを決定するために使用される第２パラメータと、前記低域周波数スペクトルを構成する複数の部分スペクトルのうち、前記拡張情報を生成するために使われる部分スペクトルから最も低い周波数成分を含む部分スペクトルの周波数位置を決定するために使用される第３パラメータとを含む拡張情報とを生成する復号化手段と、
前記低域周波数スペクトルと前記拡張情報とに基づいて前記高域周波数スペクトルを生成する高域周波数スペクトル生成手段と、
生成された前記高域周波数スペクトルと前記低域周波数スペクトルとを合成して得られる周波数スペクトルを時間軸上の信号に変換する時間周波数変換手段とを備える
ことを特徴とする復号化装置。
【請求項１６】
前記時間周波数変換手段は、生成された前記高域周波数スペクトルと前記低域周波数スペクトルとを合成して得られる周波数スペクトルを時間軸上の信号にMDCT（変形離散コサイン変換）する
ことを特徴とする請求項１５記載の復号化装置。
【請求項１７】
前記帯域拡張情報は、前記第１、第２および第３パラメータによって特定される前記高域周波数スペクトルに加算するノイズスペクトルのエネルギーを特定するパラメータをさらに含み、
前記高域周波数スペクトル生成手段は、生成した前記高域周波数スペクトルに、前記ノイズスペクトルのエネルギーを特定するパラメータによって特定されるエネルギーを有するノイズスペクトルを加算する
ことを特徴とする請求項１５または請求項１６記載の復号化装置。
【請求項１８】
前記ノイズスペクトルのエネルギーを特定するパラメータは、前記高域周波数スペクトルに対する前記ノイズスペクトルのエネルギー比である
ことを特徴とする請求項１７記載の復号化装置。
【請求項１９】
前記第１パラメータには、先行フレームの拡張情報と同じ拡張情報を使用するか否かの情報を含み、
前記高域周波数スペクトル生成手段は、前記情報を用いて前記高域周波数スペクトルを生成する
ことを特徴とする請求項１５〜１８のいずれか１項に記載の復号化装置。
【請求項２０】
前記第１パラメータには、直前フレームの拡張情報と同じ拡張情報を使用するか否かの情報を含む
ことを特徴とする請求項１９記載の復号化装置。
【請求項２１】
符号化信号を復号化する復号化方法であって、
前記符号化信号を復号化することによって低域周波数スペクトルと、前記低域周波数スペクトルより高い周波数における高域周波数スペクトルを特定するために使用される拡張情報であって、前記低域周波数スペクトルを構成する複数の部分スペクトルの中から前記高域周波数スペクトルとして複製する部分スペクトルを決定するために使用される第１パラメータと、複製後の部分スペクトルのゲインを決定するために使用される第２パラメータと、前記低域周波数スペクトルを構成する複数の部分スペクトルのうち、前記拡張情報を生成するために使われる部分スペクトルから最も低い周波数成分を含む部分スペクトルの周波数位置を決定するために使用される第３パラメータとを含む拡張情報とを生成する復号化ステップと、
前記低域周波数スペクトルと前記拡張情報とに基づいて前記高域周波数スペクトルを生成する高域周波数スペクトル生成ステップと、
生成された前記高域周波数スペクトルと前記低域周波数スペクトルとを合成して得られる周波数スペクトルを時間軸上の信号に変換する時間周波数変換ステップと
を含むことを特徴とする復号化方法。
【請求項２２】
前記時間周波数変換ステップでは、生成された前記高域周波数スペクトルと前記低域周波数スペクトルとを合成して得られる周波数スペクトルを、時間軸上の信号にMDCT（変形離散コサイン変換）する
ことを特徴とする請求項２１記載の復号化方法。
【請求項２３】
前記帯域拡張情報は、前記第１、第２および第３パラメータによって特定される前記高域周波数スペクトルに加算するノイズスペクトルのエネルギーを特定するパラメータをさらに含み、
前記高域周波数スペクトル生成ステップでは、生成した前記高域周波数スペクトルに、前記ノイズスペクトルのエネルギーを特定するパラメータによって特定されるエネルギーを有するノイズスペクトルを加算する
ことを特徴とする請求項２１または請求項２２記載の復号化方法。
【請求項２４】
前記ノイズスペクトルのエネルギーを特定するパラメータは、前記高域周波数スペクトルに対する前記ノイズスペクトルのエネルギー比である
ことを特徴とする請求項２３記載の復号化方法。
【請求項２５】
前記第１パラメータには、先行フレームの拡張情報と同じ拡張情報を使用するか否かの情報を含み、
前記高域周波数スペクトル生成ステップでは、前記情報を用いて前記高域周波数スペクトルを生成する
ことを特徴とする請求項２１〜２４のいずれか１項に記載の復号化方法。
【請求項２６】
前記第１パラメータには、直前フレームの拡張情報と同じ拡張情報を使用するか否かの情報を含む
ことを特徴とする請求項２５記載の復号化方法。
【請求項２７】
符号化信号を復号化するためのプログラムであって、
コンピュータに請求項２１〜２６のいずれか１項に記載の復号化方法を実行させるプログラム。
【請求項２８】
請求項２７記載の復号化用プログラムを記録するコンピュータ読み取り可能な記録媒体。